(57)【要約】【課題】  ホコリによる光ピックアップの汚れ・故障等の回避と高温時でのディスクドライブの停止回避の両立を実現できる信頼性が高く汎用性の優れた情報提供装置を得る。【解決手段】  情報を記憶する情報記憶媒体１１と、この情報記憶媒体１１から記憶されている情報を読み取るディスクドライブ７と、装置内温度を検知する温度センサ６、この温度センサ６が所定値以上の装置内温度を検知した際に、ディスクドライブ７により情報記憶媒体１１から必要な情報を所定値以上に先読み出しを行い、半導体メモリ１０に転送するマイコン４と、このマイコン４からの制御信号に基づいて装置内温度を冷却する空冷ファン３とを備える。【選択図】        図２
2006252603.tif 000002
【特許請求の範囲】
【請求項１】
情報記憶媒体から情報を読み取る情報読取手段と、
上記情報読取手段を保護する保護手段と、
装置内温度を検知する温度検知手段と、
装置内を冷却する冷却手段と、
上記温度検知手段が所定値以上の装置内温度を検知した際の検知信号を受けて上記情報読取手段を作動させ、上記情報記憶媒体から必要な情報を所定値以上先読み出しを行って情報一時記憶手段に転送記憶し、上記情報記憶媒体からの情報の読み出しを停止した後は、上記情報一時記憶手段から情報の読み出しを行って動作を継続させるとともに、上記保護手段により上記情報読取手段を保護した後、上記冷却手段を作動させて装置内部が所定温度以下になるまで冷却する制御手段と
を備えた情報提供装置。
【請求項２】
上記情報記憶媒体として光ディスクを用い、上記情報読取手段として光ピックアップを用い、上記情報一時記憶手段として半導体メモリまたは磁気記憶メモリを用い、上記冷却手段として空冷ファンを用いたことを特徴とする請求項１記載の情報提供装置。
【請求項３】
上記保護手段は、シャッタ機構によりホコリの侵入を防ぐ構造をなすことを特徴とする請求項１または請求項２記載の情報提供装置。
【請求項４】
上記情報読取手段は、上記情報記憶媒体からの情報先読み出し時には、該情報記憶媒体の読取速度を上げて通常より高速な読み出しを行うことことを特徴とする請求項１から請求項３のうちのいずれか１項記載の情報提供装置。
【発明の詳細な説明】
【技術分野】
【０００１】
この発明は、ナビゲーションシステム等に用いて好適な情報提供装置に関し、特に、侵入する塵埃等の影響を軽減することができる情報提供装置に関するものである。
【背景技術】
【０００２】
一般的なＣＤ、ＤＶＤ等のディスクドライブを搭載した情報機器においては、機器内部温度を温度センサにて検知し、その温度情報にて空冷ファンのＯＮ／ＯＦＦ制御を行い、機器内部の発熱する電子部品等の温度を適切な範囲に保つようにしている。しかしながら、空冷ファンを搭載した情報機器では、外気を積極的に吸い込み内部に循環させることから、その空冷ファン動作時にはホコリの流入を増大させてしまい、ディスクドライブ内の光ピックアップを汚すという問題が起こり得る。
そこで、ディスクドライブ内へのホコリ流入を防止するために情報記憶媒体が挿入された場合には、ディスクドライブのディスク挿入口のシャッタを閉じて空冷ファンを回転させて、情報記憶媒体が挿入されていない場合には、空冷ファンは停止するという仕組みとし、ディスクドライブ内部で特にホコリに弱い光ピックアップを、ホコリから遮断しているものが従来提案されている（例えば、特許文献１参照）。
【０００３】
【特許文献１】特開平４−９０１８７号公報
【発明の開示】
【発明が解決しようとする課題】
【０００４】
しかしながら、上述の公報に記載されているような従来装置の場合は、ディスクドライブが密封された状態にて空冷ファンによる冷却を行うため、外からディスクドライブへのホコリ流入は皆無であるが、ディスクドライブ内への新鮮な空気導入は不可能であり、特にディスクドライブ内部の発熱する電子部品の空冷効果が期待できないという問題点があり、最悪の場合には、電子部品の破壊あるいは熱保護機能を搭載している場合には、システムを停止する問題も発生し、ユーザの利便性を損なうという問題点があった。さらに、近年の高密度な構造の情報機器などでは、ディスクドライブを完全に遮蔽するための構造は困難であり、スペース的にもコスト的にも無駄となってしまう問題点があった。つまり、従来装置の場合は、ホコリによる光ピックアップの汚れ回避と、熱対策を両立させることが困難である等の問題点があった。
【０００５】
この発明は、前記のような課題を解決するためになされたもので、ホコリによる光ピックアップの汚れ・故障等の回避と高温時でのディスクドライブの停止回避の両立を実現できる信頼性が高く汎用性の優れた情報提供装置を得ることを目的とする。
【課題を解決するための手段】
【０００６】
この発明に係る情報提供装置は、読取手段を保護する保護手段と、装置内温度を検知する温度検知手段と、装置内を冷却する冷却手段と、温度検知手段が所定値以上の装置内温度を検知した際の検知信号を受けて情報読取手段を作動させ、情報記憶媒体から必要な情報を所定値以上先読み出しを行って情報一時記憶手段に転送記憶し、情報記憶媒体からの情報の読み出しを停止した後は、情報一時記憶手段から情報の読み出しを行って動作を継続させるとともに、保護手段により情報読取手段を保護した後、冷却手段を作動させて装置内部が所定温度以下になるまで冷却する制御手段とを備えたものである。
【発明の効果】
【０００７】
この発明は、ホコリによる光ピックアップの汚れ・故障回避と高温時でのディスクドライブの停止回避の両立が実現でき、ユーザの利便性を損なうことなく、ユーザに対して信頼性が高く汎用性の優れた製品提供が可能となるという効果がある。
【発明を実施するための最良の形態】
【０００８】
以下、この発明の実施の一形態を、情報提供装置として車載情報機器に適用した場合を例にとり、図１〜図５を参照して説明する。
実施の形態１．
図１は、この発明の実施の形態１による車載情報機器の概略構成を示す斜視図である。
近年のＣＤ、ＤＶＤ等のディスクドライブを搭載した車載情報機器は、図１に示すような構造をしており、車載情報機器１の正面にディスクドライブに向かって挿入されるディスク挿入口２が配置され、このディスク挿入口２を介してユーザがＣＤ、ＤＶＤ等の光ディスクの挿入や取出しが容易に行なえるようになっており、ユーザの利便性を図っている。また、このような車載情報機器１では、内部に搭載されている電子部品やモータの発熱による温度上昇を抑制するためにユーザからは見えない位置に、外部からの新鮮な空気を導入するための空冷式のファン（以下、空冷ファン）３を搭載している。
【０００９】
図２は、この発明の実施の形態１による車載情報機器の詳細を示す構成図である。
図２において、制御手段としてのマイクロコンピュータ（以下、単にマイコンという）４が設けられ、このマイコン４に対して、マイコン４のプログラムを実行するためのワーク用メモリ５と、マイコン４からのＯＮ／ＯＦＦ信号に従い回転する冷却手段としての空冷ファン３と、車載情報機器の内部温度を検知するための温度検知手段としての温度センサ６と、後述される情報記憶媒体からデータを読み出す情報読取手段としてのディスクドライブ７と、ディスクドライブ７からの読み出したデータに基づき画像表示するモニタ８と、ディスクドライブ７から読み出したデータを音声に変換して出力する音声ＤＳＰ９、ディスクドライブ７から転送したデータを一時的に格納することが可能な一時格納用メモリ（情報一時記憶手段）として例えばＤＲＡＭ、ＳＲＡＭ等の半導体メモリ１０が設けられる。
【００１０】
図３は、ディスクドライブ内の構造の概要を示したものであり、図３において、ディスクドライブ７内に挿入されたＣＤ、ＤＶＤ等の情報記憶媒体１１の表面からのレーザ光の反射を利用してデータを読み出すための光ピックアップ１２と、光ピックアップ１２を制御すると共に光ピックアップ１２から読み出されたデータを処理するための制御回路１３が設けられる。
【００１１】
図１〜図３の構造により、例えば、夏場などで周囲温度が高温の場合、あるいはユーザが車載情報機器１の連続使用を行い内部温度が上昇した場合には、温度センサ６がその高温を検知し、その温度検知を基に、マイコン４が情報記憶媒体１１としてのディスクの回転速度を早めて、ディスクドライブ７から今後所定の時間内に使用すると思われるデータの先読み出しを行い、半導体メモリ１０に一時的に格納する。その格納が終了した時点で、マイコン４は、データの読み出し先をディスクドライブ７から半導体メモリ１０に変更し動作継続を行なう。その時点で、空冷ファン３を回転開始し、車載情報機器１内部の冷却を図る。
尚、空冷ファン３の回転開始時点では、ディスクドライブ７内部の光ピックアップ１２は、後述する保護手段により、ホコリから遮断される状態とする。また、半導体メモリ１０の容量は、空冷ファン３が機器内部を冷却するのに要する時間分を確保するのは当然である。
【００１２】
図４は、ホコリから遮断するためのシャッタを搭載した光ピックアップの構造（例えば、小型カメラにおけるレンズを保護する開閉蓋と同様な構造）の一例を示すもので、光ピックアップ１２は、ホコリから発光素子１４ａ／受光素子１４ｂを遮蔽するためのホコリ遮蔽用シャッタ１５を備え、このシャッタ１５は、図示せずもアクチュエータ駆動によりガイドレール１６に沿って矢印ａで示す左右方向に移動することにより発光素子１４ａ／受光素子１４ｂをホコリから遮蔽する。
【００１３】
次に、図５および図６のフローチャートを参照して、その動作について説明する。なお、フローチャート中で、ディスクドライブ７から半導体メモリ１０へのデータ転送の対象となるデータは、ユーザが地図ディスクを使用している場合は、冷却に必要な所定の時間例えば約３０分の時間内に走行可能な範囲の地図データ、音楽データを再生している場合には、冷却に必要な所定の時間例えば約１５分の時間内に再生を行なう音楽データである。
また、半導体メモリ１０が高速読み書きの可能なメモリの場合には、ワーク用メモリ５と半導体メモリ１０が共用できることは当然である。
【００１４】
先ず、図５において、マイコン４は温度センサ６からの機器内温度を検知し（ステップＳＴ１）、その検知した温度が所定値以上の高温でなければ、空冷ファン３の停止を持続し（ステップＳＴ２）、その検知した温度が所定値以上の高温であれば、ディスクの回転速度を早め、ディスクドライブ７により情報記録媒体１１から必要な情報を所定値以上に先読み出しを行なって半導体メモリ１０にデータ転送し（ステップＳＴ３）、このデータ転送が完了したかどうかを判別し（ステップＳＴ４）、データ転送が完了すると、ディスクドライブ７の情報記憶媒体１１からの読み出しを停止し、ディスクドライブ７内のシャッタ１５を左右方向に移動することにより発光素子１４ａ／受光素子１４ｂをホコリから遮蔽し、光ピックアップ１２を保護する（ステップＳＴ５）。
【００１５】
次いで、空冷ファン３の回転を開始し（ステップＳＴ６）、この空冷ファン３の回転により機器内部温度が所定値以下まで冷却されたかどうかを判別し（ステップＳＴ７）、機器内部温度が所定値以下になると、空冷ファン３の回転を停止し（ステップＳＴ８）、次いで、ディスクドライブ７内のシャッタ１５による光ピックアップ１２の保護を解除し、ディスクドライブ７内の光ピックアップ１２により、情報記憶媒体１１からのデータの読み込みを再開し（ステップＳＴ９）、以後ステップＳＴ１に戻って上述の動作を繰り返す。
【００１６】
次に、図６は図５に比較してディスクドライブからのデータ読み出しを高速に実施する場合のシーケンスである。
図６において、マイコン４は温度センサ６からの機器内温度を検知し（ステップＳＴ１１）、その検知した温度が所定値以上の高温でなければ、空冷ファン３の停止を持続し（ステップＳＴ１２）、その検知した温度が所定値以上の高温であれば、ディスクドライブ７により情報記録媒体１１を高速回転させ、例えば１６倍速以上で必要な情報を所定値以上に先読み出しを行なって半導体メモリ１０にデータ転送し（ステップＳＴ１３）、この高速回転によるデータ転送が完了したかどうかを判別し（ステップＳＴ１４）、高速回転によるデータ転送が完了すると、ディスクドライブ７の情報記憶媒体１１からの読み出しを停止し、ディスクドライブ７内のシャッタ１５を左右方向に移動することにより発光素子１４ａ／受光素子１４ｂをホコリから遮蔽し、光ピックアップ１２を保護する（ステップＳＴ１５）。
【００１７】
次いで、空冷ファン３の回転を開始し（ステップＳＴ１６）、この空冷ファン３の回転により機器内部温度が所定値以下まで冷却されたかどうかを判別し（ステップＳＴ１７）、機器内部温度が所定値以下になると、空冷ファン３の回転を停止し（ステップＳＴ１８）、次いで、ディスクドライブ７内のシャッタ１５による光ピックアップ１２の保護を解除し、ディスクドライブ７内の光ピックアップ１２により、情報記憶媒体１１からのデータの読み込み（等倍速）を再開し（ステップＳＴ１９）、以後ステップＳＴ１１に戻って上述の動作を繰り返す。
【００１８】
このように、温度センサ６からの温度情報が高温と判断された場合には、ディスクドライブ７の情報記憶媒体１１を高速回転させて１６倍速以上でデータを読み出し、それを半導体メモリ１０に格納し、より高速なデータ転送することにより、温度に対する機敏な反応を実現することができる。
【００１９】
以上のように、本実施の形態によれば、高温時に光ピックアップを使用したディスクドライブに代わり、半導体メモリにデータを一時的に移し、さらに光ピックアップに保護を施し、冷却を実施することにより、ホコリによる光ピックアップの汚れ・故障回避と高温時でのディスクドライブの停止回避の両立が実現でき、ユーザの利便性を損なうことなく、ユーザに対して信頼性が高く汎用性の優れた製品提供が可能となる。
【００２０】
実施の形態２．
上記実施の形態１では、情報一時記憶手段としてＤＲＡＭ、ＳＲＡＭ等の半導体メモリを用いた場合について説明したが、これに限定されることなく、その他の記憶媒体例えばＨＤＤ等の磁気記憶メモリを用いてもよく、これにより、一時的な格納先として、より十分な容量を確保することが可能となる。
なお、上記では、情報提供装置の一例として車載情報機器の場合について説明したが、これに限定されることなく、その他の情報提供装置にも同様に適用でき、同様の効果を奏する。
【図面の簡単な説明】
【００２１】
【図１】この発明の実施の形態１による情報提供装置の概略構成を示す斜視図である。
【図２】この発明の実施の形態１による情報提供装置の構成を示すブロック図である。
【図３】この発明の実施の形態１による情報提供装置におけるディスクドライブの内部を示す図である。
【図４】この発明の実施の形態１による情報提供装置におけるディスクドライブのシャッタを搭載した光ピックアップの構造の一例を示す図である。
【図５】この発明の実施の形態１による情報提供装置の動作を説明するためのフローチャートである。
【図６】この発明の実施の形態１による情報提供装置の高速転送動作を説明するためのフローチャートである。
【符号の説明】
【００２２】
１  車載情報機器、２  ディスク挿入口、３  空冷ファン、４  マイクロコンピュータ（マイコン）、５  ワーク用メモリ、６  温度センサ、７  ディスクドライブ、８  モニタ、９  音声ＤＳＰ、１０  半導体メモリ、１１  情報記憶媒体、１２  光ピックアップ、１３  制御回路、１４ａ  発光素子、１４ｂ  受光素子、１５  ホコリ遮蔽用シャッタ、１６  ガイドレール。
【図１】
2006252603.tif 000003
【図２】
2006252603.tif 000004
【図３】
2006252603.tif 000005
【図４】
2006252603.tif 000006
【図５】
2006252603.tif 000007
【図６】
2006252603.tif 000008